(57)【要約】      （修正有）【課題】磁気共鳴イメージング装置を用いた撮影に影響する電磁シールド性を良好にした磁気共鳴イメージング装置用の電磁シールド構造を提供すること。【解決手段】磁気共鳴イメージング装置用の電磁シールド構造は、磁気共鳴イメージング装置を含む空間を電磁シールドする。電磁シールド構造は、門形状の複数のフレーム２２１が連続されて、内部に磁気共鳴イメージング装置を覆い得る空間２２２を形成するように水平方向に並んで配置されると共に伸縮可能に連結されたフレーム集合体２２０と、複数のフレーム２２１の内側に取り付けられ、下方部位が床面３１０に設けられた導電性床材３２０に接触した状態に配置される電磁シールド部材２５０と、を備えている。フレーム集合体２２０には、導電性床材３２０上に配置された電磁シールド部材２５０を導電性床材３２０に押圧する押圧機構４００が設けられている。【選択図】図６
2013000420.tif 000002
【特許請求の範囲】
【請求項１】
磁気共鳴イメージング装置を含む空間を電磁シールドするための磁気共鳴イメージング装置用の電磁シールド構造であって、
門形状の複数のフレームが、内部に前記磁気共鳴イメージング装置を覆い得る空間を形成するように水平方向に並んで配置されると共に伸縮可能に連結されたフレーム集合体と、
前記複数のフレームに取り付けられ、下方部位が床面に設けられた導電性床材に接触した状態に配置される電磁シールド部材と、を備え、
前記フレーム集合体には、前記導電性床材上に配置された前記電磁シールド部材を前記導電性床材に押圧する押圧機構が設けられていることを特徴とする磁気共鳴イメージング装置用の電磁シールド構造。
【請求項２】
前記押圧機構は、前記電磁シールド部材を前記導電性床材に押し付ける押圧棒と、
前記押圧棒を前記導電性床材の方向へ付勢する付勢手段と、
前記押圧棒を進退自在に挿入すると共に、前記付勢手段を備えたケース体と、を備え、
前記ケース体は、前記電磁シールド部材を介在して前記フレームの側面に取り付けられていることを特徴とする請求項１に記載の磁気共鳴イメージング装置用の電磁シールド構造。
【請求項３】
前記複数のフレームは、水平方向に延びる水平部と、
当該水平部の両端部から垂下して形成された一対の鉛直部と、によって門形に形成され、
前記複数のフレームのそれぞれの鉛直部は、Ｘ字状連結機構によって間隔を伸縮可能に連結され、
前記Ｘ字状連結機構は、中央部をＸ字状に交差させて回動自在に連結された一対のリンク部材と、
前記一対のリンク部材の上端部または下端部の一方を前記鉛直部に軸支された軸支ピンと、
前記一対のリンク部材の上端部または下端部の他方を前記鉛直部に回動かつ摺動自在に支持された摺動ピンと、を備え、
前記押圧機構は、前記摺動ピンに連動して上下動し、下降した際に、前記電磁シールド部材の上面に当接することを特徴とする請求項１に記載の磁気共鳴イメージング装置用の電磁シールド構造。
【請求項４】
前記押圧機構は、前記電磁シールド部材の下端部の上面上に配置される押圧部と、
一端が前記摺動ピンに摺動自在に連結され、他端が下降した際に前記導電性床材上の前記電磁シールド部材の下端部上に載置される前記押圧部に連結された連結部材と、を備え、
前記摺動ピン、前記連結部材及び前記押圧部は、前記複数のフレーム間の間隔を広げることに連動して下降し、前記押圧部が前記電磁シールド部材の上面に当接し、
前記複数のフレーム間の間隔を短縮させることによって上昇し、前記押圧部が前記電磁シールド部材の上面よりも上方へ上昇することを特徴とする請求項３に記載の磁気共鳴イメージング装置用の電磁シールド構造。
【請求項５】
前記複数のフレームは、上下方向に長く形成された長孔を有し、
前記摺動ピンは、前記長孔に前記フレームの外側から内側に亘って上下動自在に挿入され、
前記連結部材は、前記摺動ピンの内側先端部に連結されていることを特徴とする請求項４に記載の磁気共鳴イメージング装置用の電磁シールド構造。
【請求項６】
前記複数のフレームは、前記フレーム集合体内に形成された前記空間側の内側側面に、貫通孔を有し、
前記貫通孔には、中空状の前記フレームの中空部内から前記空間側に亘って中空部材が挿設され、
前記連結部材は、前記中空部材内に進退自在に挿入されると共に、一端が前記フレームの前記中空部内で前記摺動ピンに連結され、他端部が前記押圧部に連結されていることを特徴とする請求項４に記載の磁気共鳴イメージング装置用の電磁シールド構造。
【請求項７】
前記電磁シールド部材は、前記電磁シールド部材の外側から内側を視認することが可能な透過性を有する導電性のトンネル状シールドカーテンからなることを特徴とする請求項１ないし請求項６のいずれか一項に記載の磁気共鳴イメージング装置用の電磁シールド構造。
【発明の詳細な説明】
【技術分野】
【０００１】
本発明は、磁気共鳴イメージング装置を含む空間を電磁シールドするための磁気共鳴イメージング装置用の電磁シールド構造に関する。
【背景技術】
【０００２】
磁気共鳴イメージング装置（以下、「ＭＲＩ装置」ともいう）を手術室内に置き、ＭＲＩ装置を用いた撮影（以下、「ＭＲＩ撮影」ともいう）を行いながら手術や治療等を行うという、術中ＭＲＩ診断が知られている。例えば、頭部の腫瘍摘出手術等の手術においては、頭部定位固定具によって頭部を固定し、腫瘍の摘出手術等を行いながら、手術の進行や腫瘍の摘出状況を確認するために、術中ＭＲＩ撮影が適宜行われる。
【０００３】
通常、ＭＲＩ撮影を行う場所は、電磁波を遮蔽するために、手術室全体をシールド工事するような大掛かりな工事と、大きな装置を入れるのに広い手術室が必要となる。したがって、術中ＭＲＩ撮影を行う場合には、広い手術室にシールド工事を施してＭＲＩ装置を設置するか、ＭＲＩ室を別途用意する必要があり、狭い手術室等にはＭＲＩ装置を設置することが困難であった。
【０００４】
そこで、ＭＲＩ撮影を行う時のみ、ＭＲＩ装置と、当該ＭＲＩ装置で診断される患者が横たわるベッドとを収容可能であって、垂直方向に折り畳み可能な蛇腹状の電磁シールド部材（電磁波シールドカーテン）と、この電磁シールド部材を開閉するカーテン開閉手段と、平面視して矩形の電磁シールド部材の下端部周縁に設けられて床面の電磁遮蔽材と電気的に接続された導電性のカーテン当接部材と、このカーテン当接部材と密着可能な形状に形成されて床面に敷設された導電性の床面当接部材と、を備え、ＭＲＩ装置から発生する電磁波が漏洩するのを阻止する電磁シールド装置が提案されている（例えば、特許文献１参照）。このような電磁シールド構造は、狭い手術室にも設置でき、これにより術中ＭＲＩ撮影が簡易な構成で実現可能となる。
【０００５】
前記特許文献１の電磁シールド装置では、床面側のカーテン当接部材の下方に電磁石からなる下部シールド間隙解消手段を設けて、電磁シールド部材の下端部の床面当接部材を磁気的に吸引してカーテン当接部材に密着させて、カーテン当接部材と床面当接部材との間に生じる撓み等を抑えて、電磁シールド部材の下端部と床面側のカーテン当接部材との間の電気的な接続の信頼性を向上させている。
【０００６】
その他、電磁シールド部材（可動カーテン）のカーテン本体に、床面上のロア部材に接触する接触帯部を設け、カーテン本体下縁からその接触帯部にかけて形成した扁平筒状袋に可動ウエイトを収容して、ロア部材と電磁シールド部材との間の隙間の発生するのを防止して、所定の空間を仕切る間仕切り構造の電磁波シールド性能を向上させた電磁波シールド間仕切り構造が知られている（例えば、特許文献２参照）。
【先行技術文献】
【特許文献】
【０００７】
【特許文献１】特開２００７−２０８２１４号公報
【特許文献２】特開２００６−１１８２６０号公報
【発明の概要】
【発明が解決しようとする課題】
【０００８】
しかしながら、特許文献１に記載の電磁シールド装置は、電磁石からなる下部シールド間隙解消手段によって電磁シールド部材（電磁波シールドカーテン）の下端部を磁気的の床面の床面当接部材に吸着しているため、ＭＲＩ装置の画像に影響を及ぼす可能性があった。
【０００９】
また、特許文献２に記載の電磁波シールド間仕切り構造は、電磁シールド部材（可動カーテン）の下縁部に錘としての可動ウエイトを設けた場合、電磁シールド部材が移動したときに、床面の段差や凹凸等によって上下動したり、捲り上がったり、浮き上がったりするため、電磁シールド部材と床面とを確実に接触させることが困難であった。また、電磁シールド部材が上下動した際には、床面と床面に摺接する部材との摩擦抵抗によって磨耗するため、磨耗性や耐久性が問題となっている。
【００１０】
このような床面と電磁シールド部材（可動カーテン）との間に、接触不良が生じると、電磁波シールド性能が低下するので、良好な画像が得られないと言う問題があった。
【００１１】
本発明は、このような事情に鑑みてなされたものであり、磁気共鳴イメージング装置を用いた撮影に影響する電磁シールド性を良好にした磁気共鳴イメージング装置用の電磁シールド構造を提供することを目的とする。
【課題を解決するための手段】
【００１２】
前記目的を達成するために、本発明に係る磁気共鳴イメージング装置用の電磁シールド構造は、磁気共鳴イメージング装置を含む空間を電磁シールドするための磁気共鳴イメージング装置用の電磁シールド構造であって、門形状の複数のフレームが連続されて、内部に前記磁気共鳴イメージング装置を覆い得る空間を形成するように水平方向に並んで配置されると共に伸縮可能に連結されたフレーム集合体と、前記複数のフレームに取り付けられ、下方部位が床面に設けられた導電性床材に接触した状態に配置される電磁シールド部材と、を備え、前記フレーム集合体には、前記導電性床材上に配置された前記電磁シールド部材を前記導電性床材に押圧する押圧機構が設けられていることを特徴とする。
【００１３】
かかる構成によれば、磁気共鳴イメージング装置を用いた撮影を行うために術者等の操作者がフレーム集合体を伸縮させる際には、フレーム集合体はほぼ真直ぐに伸縮する。そのフレーム集合体を伸縮させた際、フレーム集合体内に配置した電磁シールド部材が共に移動する。電磁シールド部材は、床面に設けられた導電性床材上を摺接しながら移動する。この移動の際に、床面が斜めになっていたり、凹凸や段差や傾斜があったりして電磁シールド部材が導電性床材に対して浮き上がったり、または、捲り上がったりして、その後もそのままの状態になることがある。このような場合であっても、押圧機構によって電磁シールド部材を導電性床材に押し付けて押圧する状態にすることができる。このため、電磁シールド部材は、導電性床材に対して隙間なく接触させて電気的に接続した状態を維持できるので、常に接地状態にすることができる。その結果、電磁シールド部材と導電性床材との電気的接続を確実にして、電磁シールド性を向上させることができる。
【００１４】
また、磁気共鳴イメージング装置用の電磁シールド構造において、前記押圧機構は、前記電磁シールド部材を前記導電性床材に押し付ける押圧棒と、前記押圧棒を前記導電性床材の方向へ付勢する付勢手段と、前記押圧棒を進退自在に挿入すると共に、前記付勢手段を備えたケース体と、を備え、前記ケース体は、前記電磁シールド部材を介在して前記フレームの側面に取り付けられていることが好ましい。
【００１５】
かかる構成によれば、押圧機構は、電磁シールド部材を導電性床材に押し付ける押圧棒を備え、その押圧棒を付勢手段によって導電性床材の方向へ付勢することができるため、その導電性床材の上面が凸凹状や段差状になっていたとしても、電磁シールド部材を導電性床材に押し付けて、隙間なく接触させることができる。その結果、導電性床材と導電性部材との電気的な接続状態、及び、電磁シールド性を常に維持することができる。
【００１６】
また、磁気共鳴イメージング装置用の電磁シールド構造において、前記複数のフレームは、水平方向に延びる水平部と、当該水平部の両端部から垂下して形成された一対の鉛直部と、によって門形に形成され、前記複数のフレームのそれぞれの鉛直部は、Ｘ字状連結機構によって間隔を伸縮可能に連結され、前記Ｘ字状連結機構は、中央部をＸ字状に交差させて回動自在に連結された一対のリンク部材と、前記一対のリンク部材の上端部または下端部の一方を前記鉛直部に軸支された軸支ピンと、前記一対のリンク部材の上端部または下端部の他方を前記鉛直部に回動かつ摺動自在に支持された摺動ピンと、を備え、前記押圧機構は、前記摺動ピンに連動して上下動し、下降した際に、前記電磁シールド部材の上面に当接することが好ましい。
【００１７】
かかる構成によれば、門形のフレームの各鉛直部は、Ｘ字状連結機構によって伸縮可能に連結されている。Ｘ字状連結機構は、一対のリンク部材の上端部または下端部の他方を鉛直部に回動かつ摺動自在に支持された摺動ピンを有する。その摺動ピン及び押圧機構は、フレーム集合体を伸縮すると、その伸縮に連動して上下動し、フレーム集合体を伸展して下降した際に、押圧機構が電磁シールド部材の上面に当接する。
このため、押圧機構は、フレーム集合体を使用する際に伸展させると、自動的に下降して電磁シールド部材の上面を下方向に押圧し、電磁シールド部材を導電性床材に隙間なく接触させて確実に接地させることができる。
【００１８】
また、磁気共鳴イメージング装置用の電磁シールド構造において、前記押圧機構は、前記電磁シールド部材の下端部の上面上に配置される押圧部と、一端が前記摺動ピンに摺動自在に連結され、他端が下降した際に前記導電性床材上の前記電磁シールド部材の下端部上に載置される前記押圧部に連結された連結部材と、を備え、前記摺動ピン、前記連結部材及び前記押圧部は、前記複数のフレーム間の間隔を広げることに連動して下降し、前記押圧部が前記電磁シールド部材の上面に当接し、前記複数のフレーム間の間隔を短縮させることによって上昇し、前記押圧部が前記電磁シールド部材の上面よりも上方へ上昇することが好ましい。
【００１９】
かかる構成によれば、押圧機構は、摺動ピン、連結部材及び押圧部が、複数のフレーム間の間隔を広げることに連動して下降し、押圧部が電磁シールド部材の上面に当接することによって、フレーム集合体を伸展させればそれに連動して、押圧部が電磁シールド部材の上面に押圧して導電性床材に接地させることができる。
また、フレーム集合体を収縮させて、各フレーム間の間隔を短縮させると、摺動ピン、連結部材及び押圧部が上昇し、押圧部が電磁シールド部材の上面よりも上方へ自動的に上昇して導電性床材から離間する。このため、フレーム集合体を使用しない収縮させた状態にするときや、フレーム集合体全体が収縮した位置状態のときは、電磁シールド部材が導電性床材から上方向に離れて非接触状態にあるので、フレーム集合体が導電性床材と接触して磨耗するのを低減させることができると共に、電磁シールド部材と導電性床材との摺動抵抗がなくなった分だけ、フレーム集合体を移動させ易くすることができる。
【００２０】
また、磁気共鳴イメージング装置用の電磁シールド構造において、前記複数のフレームは、上下方向に長く形成された長孔を有し、前記摺動ピンは、前記長孔に前記フレームの外側から内側に亘って上下動自在に挿入され、前記連結部材は、前記摺動ピンの内側先端部に連結されていることが好ましい。
【００２１】
かかる構成によれば、摺動ピンは、長孔にフレームの外側から内側に亘って上下動自在に挿入されていることによって、フレーム集合体が伸縮すると、Ｘ字状連結機構のフレームが動きに連動して、長孔内を上下方向に移動する。
【００２２】
また、磁気共鳴イメージング装置用の電磁シールド構造において、前記複数のフレームは、前記フレーム集合体内に形成された前記空間側の内側側面に、貫通孔を有し、前記貫通孔には、中空状の前記フレームの中空部内から前記空間側に亘って中空部材が挿設され、前記連結部材は、前記中空部材内に進退自在に挿入されると共に、一端が前記フレームの前記中空部内で前記摺動ピンに連結され、他端部が前記押圧部に連結されていることが好ましい。
【００２３】
かかる構成によれば、複数のフレームは、フレーム集合体内の空間側の内側側面に形成された貫通孔に、フレームの中空部内から空間側に亘って中空部材が挿設されている。その中空部材内には、一端がフレームの中空部内で摺動ピンに連結され、他端部が押圧部に連結された連結部材が進退自在に配置されている。このため、フレーム集合体が伸縮すれば、フレームと一体に摺動ピンが移動し、摺動ピンが移動すれば、連結部材を介在して押圧部が連動する。その結果、押圧部は、フレーム集合体の伸縮に連動して、特別な動力源なくても、また、特別な操作を行わなくても自動的に上下動する。
【００２４】
また、磁気共鳴イメージング装置用の電磁シールド構造において、前記電磁シールド部材は、前記電磁シールド部材の外側から内側を視認することが可能な透過性を有する導電性のトンネル状シールドカーテンからなることが好ましい。
【００２５】
かかる構成によれば、電磁シールド部材は、可撓性及び透光性を有するシート状の部材からなることによって、磁気共鳴イメージング装置で撮影中に、電磁シールド部材の外側からその内部にいる患者を視認することができる。
【発明の効果】
【００２６】
本発明によれば、磁気共鳴イメージング装置を用いた撮影に支障をきたす電磁シールド性を向上させて良好な画像が得られる磁気共鳴イメージング装置用の電磁シールド構造を提供することができる。その結果、手術室に高価なシールド工事を不要にすることができる。また、門形状で伸縮可能に連結されたフレーム集合体と、このフレーム集合体の内側に取り付けられた電磁シールド部材とは、伸縮移動させことができることによって、磁気共鳴イメージング装置以外に多目的手術室、あるいは、検査室として使用することが可能である。また、電磁シールド部材は、可撓性及び透光性を有するシート状の部材からなるので、磁気共鳴イメージング装置で撮影中に電磁シールド部材の外側からその内部にいる患者を視認することができる。
【図面の簡単な説明】
【００２７】
【図１】本発明の一実施形態に係る磁気共鳴イメージング装置用の電磁シールド構造が適用された手術室の一例を示す外観図である。
【図２】電磁シールド構造の伸展状態を示す斜視図である。
【図３】トンネル状シールドカーテンの概略斜視図である。
【図４】トンネル状シールドカーテンの下側端部の構造を示す図であり、（ａ）は要部拡大概略、（ｂ）は（ａ）のＡ−Ａ線に沿う断面図である。
【図５】電磁シールド体の概略斜視図である。
【図６】フレームに取り付けられた押圧機構の設置状態を示す要部拡大正面図である。
【図７】フレームに取り付けられた押圧機構の設置状態を示す要部拡大斜視図である。
【図８】押圧機構の第１変形例を示す図であり、（ａ）はフレーム集合体を収縮時の状態を示す要部側面図、（ｂ）はフレーム集合体を収縮時の状態を示す要部正面図である。
【図９】押圧機構の第１変形例を示す図であり、（ａ）はフレーム集合体を伸展時の状態を示す要部側面図、（ｂ）はフレーム集合体を伸展時の状態を示す要部正面図である。
【図１０】本発明の第２変形例を示す図であり、フレーム集合体を伸展時及び収縮時の状態を示す要部側面図である。
【図１１】押圧機構の第２変形例の原理を示す概略図である。
【図１２】押圧機構の第２変形例を示す図であり、（ａ）はフレーム集合体を伸展時の状態を示す要部正面図、（ｂ）はフレーム集合体を収縮時の状態を示す要部正面図である。
【図１３】図１２（ｂ）のＢ−Ｂ線方向拡大断面図である。
【発明を実施するための形態】
【００２８】
以下、本発明の実施形態について、適宜図面を参照しながら詳細に説明する。
図１に示すように、磁気共鳴イメージング装置（ＭＲＩ装置）１００と、ＭＲＩ装置用の電磁シールド構造２００とが、例えば脳外科等の手術を行う手術室３００に設置されている。ＭＲＩ装置１００は、所定の静磁場下に置かれた患者（被検者）の被撮像部位に、所定のパルスシーケンスでＲＦパルス、傾斜磁場を印加し、これによって発生したエコー信号を収集後処理して磁気共鳴画像を得るものである。
【００２９】
図１に示すＭＲＩ装置１００は、ここでは、側面視でコの字状に形成されたオープン型のＭＲＩ装置である。このＭＲＩ装置１００は、患者の頭部等の被撮像部位が挿入されるガントリー開口部１２０が形成された本体部１１０を備えており、本体部１１０には、ガントリー開口部１２０を挟んで上下に対向する部位にそれぞれ磁石（図示せず）が設けられている。
【００３０】
手術室３００の床面３１０上におけるＭＲＩ装置１００を含む所定の領域に、例えば、電磁波の反射損失が大きい銅合金板、非磁性ステンレス鋼板等の非磁性体の導電材料からなる導電性床板３２０が電磁シールド体２１０の下面から前方向に亘って延びて敷設されている。ＭＲＩ撮影を行う場合には、患者を載せた手術台兼用のベッド（図示せず）が導電性床板３２０の長手方向（前後方向）に沿うように導電性床板３２０上に移動させられる。
【００３１】
手術室３００の壁３３０の内側が一部掘り込まれて凹部３３１が形成されており、この凹部３３１内には、ノイズフィルタ（図示せず）を有するフィルタボックス３３２が配置されている。フィルタボックス３３２は、ＭＲＩ装置１００の背面側に設けられており、外部からの電源や信号用のケーブル類は、フィルタボックス３３２を介してＭＲＩ装置１００と接続される。なお、手術室３００内におけるＭＲＩ装置１００の設置位置は、壁際に限定されるものではなく、壁３３０から離間した位置であってもよい。
【００３２】
電磁シールド構造２００は、ＭＲＩ装置１００を含む所定の撮影空間を、電磁波から遮蔽（電磁シールド）するものである。この電磁シールド構造２００は、ＭＲＩ撮影を行うときに、後記するフレーム集合体２２０が導電性床板３２０上に伸展させられることによってＭＲＩ装置１００とＭＲＩ撮影される患者が横たわるベッド（図示せず）とを収容可能となるように、全体としてベッドの長さ方向（前後方向）へ伸展状態とされる。
【００３３】
図２は、電磁シールド構造の伸展状態を示す斜視図である。
図２に示すように、電磁シールド構造２００は、ＭＲＩ装置１００を覆い、開口部２１０ａ（図１参照）を有する電磁シールド体２１０と、門形状の複数のフレーム２２１が内側に連続した空間２２２（図３参照）を形成するように水平方向に並んで配置されると共に、前後方向に伸縮可能にＸ字状連結機構２３０により連結され、収縮時に電磁シールド体２１０の内部に収納可能なフレーム集合体２２０と、を有している。
【００３４】
門形状のフレーム２２１は、例えばアルミニウム合金製の平角管を用いて形成される。フレーム２２１は、ここでは、左右方向に水平に延びる水平部２２４と、この水平部２２４の両端部から垂下して形成された一対の鉛直部２２５と、を有して門形状に形成されている。但し、フレーム２２１は、平角管を曲げ加工して形成されてもよい。空間２２２（図３参照）は、ＭＲＩ装置１００及びベッド（図示せず）を収納するための収納部位である。このフレーム２２１のそれぞれの鉛直部２２５は、Ｘ字状連結機構２３０によって間隔を伸縮可能に連結されて、フレーム集合体２２０全体を収縮できるようになっている。
【００３５】
Ｘ字状連結機構２３０は、中央部をＸ字状に交差させて回動自在に連結された一対のリンク部材２３１，２３２と、この一対のリンク部材２３１，２３２の上端部または下端部の一方を鉛直部２２５に軸支された軸支ピン２３４と、一対のリンク部材２３１，２３２の上端部または下端部の他方を鉛直部２２５に回動かつ摺動自在に支持された摺動ピン２３５と、を備えて構成されている。
【００３６】
Ｘ字状連結機構２３０は、一対のリンク部材２３１，２３２を中央部においてＸ字状に交差させると共に、その交差部を中央ピン２３３で軸支し、一対のＸ字状のリンク部材２３１，２３２を端部において軸支ピン２３４及び摺動ピン２３５で複数組連結することにより、前後方向へ伸縮自在に構成されている。
そして、軸支ピン２３４は、フレーム２２１の外側面に固定された凹溝部材２３６内に固定されており、一方、摺動ピン２３５は、凹溝部材２３６内に上下方向に摺動可能に係合されている。なお、摺動ピン２３５を凹溝部材２３６内に固定し、軸支ピン２３４を凹溝部材２３６内に摺動可能に係合してもよい。凹溝部材２３６の素材として、例えばアルミニウム合金製の型材が使用される。
【００３７】
複数のフレーム２２１の下部には、当該下部の下端面に床面３１０に敷設された導電性床板３２０（導電性床材）上を転動するキャスタ２２３と、その導電性床板３２０に対して捲り上がったり、浮き上がったりするのを防止する後記の押圧機構４００（図６及び図７参照）と、がそれぞれ取り付けられている。
キャスタ２２３は、車輪２２３ａと、車輪２２３ａを回転可能に支持する支持部材２２３ｂとを備えており、支持部材２２３ｂがフレーム２２１の下部の外側面にねじ締結等により固定される。
【００３８】
また、複数のフレーム２２１のうちの伸展端側（最前方側）のフレーム２２１には、フレーム集合体２２０を伸縮させる際に術者等の操作者が掴持するための取っ手２３７が、左右に一対取り付けられている。一方、最後方側のフレーム２２１は、図示しない規制手段により移動が規制されている。
【００３９】
また、電磁シールド構造２００は、複数のフレーム２２１内の空間２２２（図３参照）側に取り付けられ、可撓性及び透光性を有するシート状の電磁シールド部材２５０を有している。電磁シールド部材２５０は、ＭＲＩ撮影を行う際の外部からの電磁波（ノイズ）を除去する役目と、ＭＲＩ装置１００（図１参照）から発生する電磁波が電磁シールド構造２００外に漏洩してその周辺の周辺機器（図示せず）や人員等に影響を及ぼすのを防ぐ役目とを担っている。
【００４０】
図３は、トンネル状シールドカーテンの概略斜視図である。図４は、トンネル状シールドカーテンの下側端部の構造を示す図であり、（ａ）は要部拡大概略、（ｂ）は（ａ）のＡ−Ａ線に沿う断面図である。
【００４１】
図３及び図４（ａ）、（ｂ）に示すように、電磁シールド部材２５０の材料としては、例えば網状の繊維に銀等の非磁性体の導電材料をコーティングした透過シールド素材が使用され得る。電磁シールド部材２５０の下端は、導電性床板３２０上に接触するように、電磁シールド部材２５０と導電性床板３２０との導通を良好にするための床面接触部材２５７、及び、電磁シールド部材２５０を導電性床板３２０に押し付けるための錘２５８とが設けられて、電磁波のシールド性と、導電性床板３２０（導電性床材）との接触性とを確保できるようになっている。
【００４２】
図２に示すように、電磁シールド部材２５０は、複数のフレーム２２１の内側にトンネル状に取り付けられるトンネル状シールドカーテン２５１と、複数のフレーム２２１のうちの最前方側のフレーム２２１の開放面を開放可能に閉止するための前面シールドカーテン２５２と、を備えて、フレーム集合体２２０内に略蚊帳状（略テント状）に吊設されている。
【００４３】
トンネル状シールドカーテン２５１は、例えば、各フレーム２２１の水平部２２４の下側全体に所定間隔を介して固定された取付金具（図示せず）に紐等で結び付けることによって取り付けられる。一方、前面シールドカーテン２５２は、この前面シールドカーテン２５２の上端部に連結されるフック（図示せず）が、複数のフレーム２２１のうちの最前方側のフレーム２２１の上側に位置する水平部２２４の下面に固定されたカーテンレール（図示せず）に沿って水平方向に摺動可能に取り付けられることによって、電磁シールド部材２５０の前面部に開閉自在に配置されている。
【００４４】
図３あるいは図４（ａ）、（ｂ）に示すように、トンネル状シールドカーテン２５１は、空間２２２の上面及び側面に位置する覆い部２５３と、空間２２２の前面に位置する下方に開口したコの字状の補助部２５４と、トンネル状シールドカーテン２５１の周縁部に内設された錘２５８と、トンネル状シールドカーテン２５１の周縁部の下面に取り付けられた床面接触部材２５７と、から構成されている。補助部２５４は、前面シールドカーテン２５２（図２参照）の上部及び左右両側部と重なるように形成されることによって、トンネル状シールドカーテン２５１と前面シールドカーテン２５２との隙間を埋めてシールド性を高める機能を有している。
【００４５】
図４（ａ）、（ｂ）に示すように、前記錘２５８は、トンネル状シールドカーテン２５１の周縁部と、前面シールドカーテン２５２の下側周縁部との折り返し部分をそれぞれ二列に袋状に縫製された袋状部位２５１ａにそれぞれ内設された一対の非磁性体の金属製鎖からなる。なお、錘２５８は、例えば、屈曲変形可能なゴム製や樹脂製の棒状部材等であっても構わない。
【００４６】
前記床面接触部材２５７は、トンネル状シールドカーテン２５１の周縁部下面と、前面シールドカーテン２５２の下側周縁部下面とにそれぞれ設けられた帯状の導電性の高い薄板材からなる。床面接触部材２５７は、導電性床板３２０（導電性床材）と、これに接触するトンネル状シールドカーテン２５１及び前面シールドカーテン２５２接触面との導電性を良好にするための部材であり、弾性変形可能な導電性ゴム部材や導電性樹脂等からなる。なお、床面接触部材２５７は、トンネル状シールドカーテン２５１と同じ素材で形成したものであっても構わない。
【００４７】
図１に示すように、電磁シールド体２１０は、例えばアルミニウム合金板等の非磁性体の導電材料から形成されており、門形状を呈している。電磁シールド体２１０の側面には、ＭＲＩ装置１００を用いて診断される患者の状態を観察し得る全面が開放された観察窓２１１が設けられている。このような構成によれば、診断中の患者の視認性が増すため、例えば患者の被撮像部位がずれていないか、患者モニタ用ケーブル（図示せず）が患者から外れていないか等、患者の状態を外から十分に観察しながら、ＭＲＩ装置１００を用いた良好な撮影が可能となる。観察窓２１１は、電磁シールド体２１０の左右両方の側面に開設されることが左右両方から観察できる観点から好ましい。但し、観察窓２１１は、電磁シールド体２１０の左右いずれかの側面に形成されていてもよい。
【００４８】
図５は、電磁シールド体の概略斜視図である。
図５に示すように、電磁シールド体２１０の下端には、一対の帯板部材２１２が固定されている。一対の帯板部材２１２は、フレーム集合体２２０が収縮されて電磁シールド体２１０内に収納されるとき、及びフレーム集合体２２０が収縮状態から伸展されて電磁シールド体２１０内から外に出されるときに、帯板部材２１２の内側面によってキャスタ２２３（図２参照）の移動をガイドする。
【００４９】
図６は、フレームに取り付けられた押圧機構の設置状態を示す要部拡大正面図である。図７は、フレームに取り付けられた押圧機構の設置状態を示す要部拡大斜視図である。
図６及び図７に示すように、中空状のフレーム２２１の下端部には、フレーム２２１の下端から内側下端部に亘って設置されたＬ字状の厚板部材からなる接続部材２２６と、この接続部材２２６の内側側面に電磁シールド部材２５０を介在して設置された押圧機構４００と、フレーム２２１の下端部外側に設置された前記キャスタ２２３と、が設けられている。
【００５０】
接続部材２２６は、中空状のフレーム２２１の下側開口部を閉塞する下板部２２６ａと、この下板部２２６ａの空間２２２側の端部からフレーム２２１の内側側面に沿って上方向に延びる側板部２２６ｂと、を一体形成したＬ字状の平板部材からなる。この接続部材２２６は、側板部２２６ｂにトンネル状シールドカーテン２５１を介在して押圧機構４００のケース体４３０の左右に形成されたフランジ部４３５をねじ部材２７５でフレーム２２１に螺着することによって固定されている。
このようにして導電性床板３２０の近傍のトンネル状シールドカーテン２５１の下端部２５１ｂは、フレーム２２１に固定されている。
【００５１】
押圧機構４００は、トンネル状シールドカーテン２５１の下端部２５１ｂを導電性床板３２０上に押し付けて接触した状態にするための装置であり、複数のフレーム２２１の内側に取り付けられている。この押圧機構４００は、床面３１０の凹凸、段差あるいは傾斜等による導電性床板３２０の浮き上がりや、フレーム集合体２２０を移動させた際に発生する導電性床板３２０の捲り上がり等を防止して、導電性床板３２０の接地状態、及び、電磁シールド性を維持するためのものである。
【００５２】
押圧機構４００は、電磁シールド部材２５０を導電性床板３２０に押し付ける押圧棒４１０と、この押圧棒４１０を導電性床板３２０の方向へ付勢する付勢手段４２０と、押圧棒４１０を進退自在に挿入すると共に、付勢手段４２０を備えたケース体４３０と、押圧部４１１を下降させたり、上昇させたりするための操作部４４０と、から主に構成されている。押圧機構４００は、摺動ピン２３５に連動して上下動し、下降した際に、電磁シールド部材２５０の上面に当接させる。なお、この押圧機構４００は、例えば、ばね式ドアストッパと同様な構造をしている。
【００５３】
押圧棒４１０は、パイプ状の導電性部材からなり、下端にキャップ形状の押圧部４１１と、上端にキャップ形状の把持部４１２と、を備えて、ケース体４３０の中央部に挿通した状態に上下動可能に配置されている。
押圧部４１１は、押圧棒４１０が下降した際に、導電性床板３２０の上面に当接する部材であり、押圧棒４１０の下側開口端を閉塞する導電性のゴム部材あるいは導電性の合成樹脂等からなる。
把持部４１２は、押圧棒４１０の上側開口端を閉塞する蓋部材であり、下降した押圧棒４１０を手で持って上側に戻す際に、手で掴むためのノブの役割を果たす導電性の合成樹脂材等からなる。
【００５４】
付勢手段４２０は、例えば、圧縮コイルばねからなり、ケース体４３０内に収縮された状態で収納されて、常に押圧棒４１０を下方へ向けて付勢するばね力を有している。この付勢手段４２０は、例えば、上端に係止孔４３２に挿入される係止部４２１を有し、下端を押圧棒４１０に固定されたばね受部４４１に圧接した状態に配置されている。
【００５５】
ケース体４３０は、押圧棒４１０を上下動自在に支持すると共に、この押圧棒４１０を下方向に向かって付勢する付勢手段４２０を収納して、さらに、トンネル状シールドカーテン２５１をフレーム２２１に押え付けて保持するための部材である。
ケース体４３０には、このケース体４３０の上下面に形成された挿入孔４３１と、ケース体４３０の空間２２２側の面に形成された係止孔４３２、スライド孔４３３及び掛止孔４３４と、ケース体４３０のフレーム２２１側の左右端部から前後方向へ突出した状態に一体的に形成されたフランジ部４３５と、が形成されている。
【００５６】
挿入孔４３１は、押圧棒４１０をケース体４３０の上面及び下面から突出した状態に進退自在に挿入するための孔である。
係止孔４３２は、後記する付勢手段４２０の上端部が係止される孔であり、ケース体４３０の上部に形成されている。
スライド孔４３３は、押圧棒４１０と一体に上下動する操作部４４０が上下動するガイド溝であり、ケース体４３０の空間２２２側の面に上下方向に向かって延設されている。
【００５７】
掛止孔４３４は、スライド孔４３３の上端から横方向に向きを変えて形成されて、押圧棒４１０と一体に上下動する操作部４４０が上昇した位置状態にあるのを維持するため部位である。つまり、操作部４４０をこの掛止孔４３４内に掛止させて置くことにより、押圧棒４１０の下端の押圧部４１１を導電性床板３２０から上方へ離間した状態に維持することができる。
【００５８】
フランジ部４３５は、ケース体４３０をフレーム２２１に固定するねじ部材２７５を設けるための孔（図示せず）を形成する板部材の役目と、接続部材２２６とケース体４３０との間に介在されるトンネル状シールドカーテン２５１を押さえる部材の役目と、を果たす。
【００５９】
操作部４４０は、基端部に前記押圧棒４１０に固定されたばね受部４４１を有し、先端部をスライド孔及び掛止孔４３４を摺動自在に挿通してケース体４３０から突出した状態に配置されている。
【００６０】
［作用］
次に、磁気共鳴イメージング装置用の電磁シールド構造２００のフレーム集合体２２０を伸縮させる場合を説明する。
ＭＲＩ装置１００を使用しない場合は、図１に示すように、フレーム集合体２２０を収縮させた状態にして電磁シールド体２１０内に収納して保管する。
この場合は、電磁シールド部材２５０は、この電磁シールド部材２５０の下端部２５１ｂを導電性床板３２０に当接させておく必要がないため、操作部４４０を上方向に操作して掛止孔４３４に掛止しておいても構わない。
【００６１】
ＭＲＩ装置１００で患者を撮影する場合は、前記した操作部４４０を掛止孔４３４に掛止させて、押圧棒４１０の下端の押圧部４１１を導電性床板３２０から上昇させ、導電性床板３２０と非接触の状態にして、図２に示す取っ手２３７を手で持って手前方向に引っ張って、フレーム集合体２２０及び電磁シールド部材２５０を引出す。
【００６２】
次に、掛止孔４３４に掛止されてあった操作部４４０をスライド孔４３３側へ操作する。すると、操作部４４０は、図６及び図７に示すように、付勢手段４２０のばね力で、押圧棒４１０、押圧部４１１及び把持部４１２と共に下降する。下降した押圧部４１１は、その下にあるトンネル状シールドカーテン２５１の下端部２５１ｂを付勢手段４２０のばね力で下方に導電性床板３２０に押し付ける。
【００６３】
このため、押圧機構４００は、トンネル状シールドカーテン２５１が伸縮移動の際に、導電性床板３２０に対して捲り上がったり、浮き上がったりしたとしても、トンネル状シールドカーテン２５１を確実に導電性床板３２０に押し付けて隙間なく接触させて接地状態にし、電磁シールド性を向上させることができる。また、トンネル状シールドカーテン２５１に帯電していた電流を、導電性床板３２０からスムーズに放電させることができる。
【００６４】
なお、電磁シールド体２１０について、電磁シールド部材２５０の素材自体の性能が低い場合には、金属製の電磁シールド体２１０を設けることでシールド性能を補助しているが、電磁シールド体２１０はなくてもよい。
【００６５】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。なお、既に説明した構成は同じ符号を付してその説明を省略する。
【００６６】
［第１変形例］
図８は、押圧機構の第１変形例を示す図であり、（ａ）はフレーム集合体を収縮時の状態を示す要部側面図、（ｂ）はフレーム集合体を収縮時の状態を示す要部正面図である。図９は、押圧機構の第１変形例を示す図であり、（ａ）はフレーム集合体を伸展時の状態を示す要部側面図、（ｂ）はフレーム集合体を伸展時の状態を示す要部正面図である。
【００６７】
前記実施形態では、押圧機構４００の一例として、図６及び図７に示すように、付勢手段４２０で弾性的に移動する押圧棒４１０を備えたものを説明したが、これに限定されるものではない。
例えば、押圧機構５００は、図８（ａ）、（ｂ）、図９（ａ）、（ｂ）に示すように、フレーム集合体２２０に設けたＸ字状連結機構２３０に連動して押圧部５１０が下降してトンネル状シールドカーテン２５１を自動的に押圧するようにしても構わない。
【００６８】
この場合、押圧機構５００は、電磁シールド部材２５０の下端部２５１ｂからフレーム２２１Ａ側に延びて配置された被押圧部２５１ｃの上面上に配置される押圧部５１０と、一端が摺動ピン２３５Ａに上下方向に摺動自在に連結され、他端が下降した際に、導電性床板３２０上の電磁シールド部材２５０の下端部２５１ｂにある被押圧部２５１ｃ上に載置される押圧部５１０に連結された連結部材５２０と、を主に備えている。
【００６９】
摺動ピン２３５Ａ、連結部材５２０及び押圧部５１０は、複数のフレーム２２１Ａ間の間隔を広げて伸展させることに連動して下降し、押圧部５１０が電磁シールド部材２５０の被押圧部２５１ｃの上面に当接する。押圧部５１０は、複数のフレーム２２１Ａ間の間隔を短縮させることによって上昇し、押圧部５１０が電磁シールド部材２５０の被押圧部２５１ｃの上面よりも上方へ上昇する。
【００７０】
複数のフレーム２２１Ａは、上下方向に長く形成された長孔２２１Ａａを有する。摺動ピン２３５Ａは、長孔２２１Ａａにフレーム２２１Ａの外側から内側に亘って上下動自在に挿入されている。連結部材５２０は、摺動ピン２３５Ａの内側先端部に連結されている。軸支ピン２３４Ａは、フレーム２２１Ａに軸支され、上下動しない。
【００７１】
トンネル状シールドカーテン２５１は、下端部２５１ｂのフレーム２２１Ａ側全体に、垂下したトンネル状シールドカーテン２５１からフレーム２２１Ａ側に突出した鍔状に縫製されて、下降した押圧部５１０によって押圧される被押圧部２５１ｃが形成されている。
【００７２】
このように、本発明の第１変形例は、押圧機構５００をフレーム集合体２２０のＸ字状連結機構２３０Ａの動き、及び、フレーム集合体２２０の伸縮移動に連動させて、フレーム集合体２２０を引出した使用時のみ、押圧部５１０が自動的に下降してトンネル状シールドカーテン２５１の下端部２５１ｂの被押圧部２５１ｃを導電性床板３２０（導電性床材）に押し付けて、確実に接地した状態にすることができる。
【００７３】
［第２変形例］
図１０は、本発明の第２変形例を示す図であり、フレーム集合体を伸展時及び収縮時の状態を示す要部側面図である。図１１は、押圧機構の第２変形例の原理を示す概略図である。図１２は、押圧機構の第２変形例を示す図であり、（ａ）はフレーム集合体を伸展時の状態を示す要部正面図、（ｂ）はフレーム集合体を収縮時の状態を示す要部正面図である。図１３は、図１２（ｂ）のＢ−Ｂ線方向拡大断面図である。
【００７４】
前記第１変形例では、図８（ａ）、（ｂ）、図９（ａ）、（ｂ）に示すように、押圧機構５００がフレーム２２１Ａの上端部に設けた摺動ピン２５３Ａに連動して押圧部５１０が上下動する場合を説明したが、これに限定されるものではない。
図１２（ａ）、（ｂ）に示すように、例えば、押圧機構６００は、Ｘ字状連結機構２３０Ｂのリンク部材２３１，２３２の上下動する摺動ピン２５３Ｂに連動して押圧部６１０が上下動するようにしても構わない。
【００７５】
この場合、押圧機構６００は、電磁シールド部材２５０の下端部２５１ｂの上面上に配置される押圧部６１０と、一端が摺動ピン２３５Ｂに錘６４０を介在して上下方向に摺動自在に連結され、他端が下降した際に、導電性床板３２０上の電磁シールド部材２５０の下端部上に載置される押圧部６１０に連結された連結部材６２０と、この連結部材６２０が進退自在に挿入される中空部材６３０と、連結部材６２０の外側端部に設けられた錘６４０と、を主に備えている。
【００７６】
図１０に示すように、フレーム集合体２２０のＸ字状連結機構２３０Ｂは、リンク部材２３１，２３２の上端部側の軸支ピン２３４Ｂがフレーム２２１Ｂに軸支され、下端部側の摺動ピン２３５Ｂがフレーム２２１Ｂに上下方向に摺動自在に配置されている。
【００７７】
図１２（ａ）、(ｂ)及び図１３に示すように、前記摺動ピン２３５Ｂは、外側端部がリンク部材２３１，２３２に軸支されて、中央部が外側支柱フレーム２２１Ｂ１に挿通され、内側端部がフレーム２２１Ｂの摺動孔２２１Ｂｃを介してフレーム２２１Ｂ内に上下動自在に配置された錘６４０に連結されている。
摺動孔２２１Ｂｃは、中空状のフレーム２２１Ｂの外側側壁に形成された孔であり、この摺動孔２２１Ｂｃに遊挿される摺動ピン２３５Ｂの上下動する移動範囲に合わせて上下方向に長く形成されて、摺動ピン２３５Ｂの上下動を可能にしている。
【００７８】
錘６４０は、上面中央部に連結部材６２０の外側端部が連結され、フレーム２２１Ｂ内に遊嵌されている。この錘６４０は、例えば、連結部材６２０の内側端部に連結された押圧部６１０と同じ重さで釣り合う重さに形成されている。
【００７９】
フレーム２２１Ｂの空間２２２側の側壁には、摺動孔２２１Ｂｃよりも高い位置に、中空部材６３０を挿入するための貫通孔２２１Ｂａが形成されている。
貫通孔２２１Ｂａには、チューブ状の中空部材６３０が、その貫通孔２２１Ｂａに掛けるように、フレーム２２１Ｂの中空内部からフレーム２２１Ｂの空間２２２側の下方に設置された巻込み防止部材２７２まで配置されている。
その中空部材６３０内には、ワイヤ形状の線材からなる連結部材６２０が進退自在に挿入されている。
【００８０】
図１１、図１２（ａ）、（ｂ）に示すように、連結部材６２０は、一端がフレーム２２１Ｂの中空部２２１Ｂｂ内で摺動ピン２３５Ｂと一体の錘６４０に連結され、他端部が押圧部６１０に連結されて、錘６４０と押圧部６１０とが相反するように上下方向に連動するようになっている。
【００８１】
押圧部６１０は、空間２２２側に、トンネル状シールドカーテン２５１がカーテン支持板材２７７を介在してねじ部材２７５によって固定されて、この押圧部６１０の上下動に連動してトンネル状シールドカーテン２５１の下端部２５１ｂが上下動するように取り付けられている。
押圧部６１０は、例えば、自重によってトンネル状シールドカーテン２５１を押圧する直方体の重りからなり、外側側面に中空の巻込み防止部材２７２に上下方向に向けて延設されたガイド溝２７２ａに上下動自在に遊嵌されたスライダ６１１が設けられている。
【００８２】
押圧部６１０の内側下端部には、トンネル状シールドカーテン２５１に設けられた導電性板材からなる床面接触部材２５７が設けられ、床面接触部材２５７の上側には、この床面接触部材２５７を支持する支持部材２５８が設けられている。床面接触部材２５７は、トンネル状シールドカーテン２５１と導電性床板３２０との導通状態を良好に保つと共に、トンネル状シールドカーテン２５１の下端部２５１ｂが空間２２２側を向いて下降し、重なり合った畳んだ状態になるのを規制する役目を果たす。
【００８３】
巻込み防止部材２７２は、押圧部６１０を上昇及び下降をガイド溝２７２ａで案内して押圧部６１０及びトンネル状シールドカーテン２５１の下端部２５１ｂを真っ直ぐに上下動するようにガイドする役目と、トンネル状シールドカーテン２５１の下端部２５１ｂがキャスタ２２３側に行かないように規制する役目と、を果たす。巻込み防止部材２７２は、上方向に延在する細長い角筒状の部材からなり、内部に配置されたスライダ６１１と、外部に配置されてこのスライダ６１１に連結された押圧部６１０とが、一緒に上下方向に摺動するように配置されている。
【００８４】
このように、本発明の第２変形例は、摺動ピン２３５Ｂ、連結部材６２０及び押圧部６１０が、複数のフレーム２２１Ｂ間の間隔を広げて伸展させることに連動して、押圧部６１０が自動的に下降して電磁シールド部材２５０の上面に当接する。複数のフレーム２２１Ｂ間の間隔を短縮させて収縮させることによって連動して、押圧部６１０が電磁シールド部材２５０の上面よりも上方へ自動的に上昇して離間する。
【００８５】
つまり、電磁シールド構造２００は、押圧機構６００を、フレーム集合体２２０のＸ字状連結機構２３０Ｂの動き、及び、フレーム集合体２２０の伸展する移動に連動させて、フレーム集合体２２０を引出した使用時のみ、押圧部６１０及びトンネル状シールドカーテン２５１の下端部２５１ｂが自動的に下降してその下端部２５１ｂを導電性床板３２０（導電性床材）に当接させて、確実に接地した状態にすることができる。
【００８６】
そして、フレーム集合体２２０を収縮させると、この収縮移動に連動させて、押圧部６１０及びトンネル状シールドカーテン２５１の下端部２５１ｂが自動的に上昇して導電性床板３２０から上昇させて、導電性床板３２０から離間した状態になる。このため、トンネル状シールドカーテン２５１が、導電性床板３２０に擦れ合うことがないので、摩擦抵抗がなくなった分だけ、フレーム集合体２２０の伸縮させる作業を行い易くすることができる。
【００８７】
［その他の変形例］
また、前記実施形態では、電磁シールド構造２００は、オープン型のＭＲＩ装置に適用
されているが、トンネル型のＭＲＩ装置にも適用可能である。また、電磁シールド構造２００の設置場所は、脳外科手術室に限定されるものではなく、他の手術室、ＭＲＩ室等の各種の場所であってもよい。
【符号の説明】
【００８８】
１００    ＭＲＩ装置（磁気共鳴イメージング装置）
２００    電磁シールド構造
２１０    電磁シールド体
２２０    フレーム集合体
２２１，２２１Ａ，２２１Ｂ  フレーム
２２１Ａａ  長孔
２２１Ｂａ  貫通孔
２２１Ｂｂ  中空部
２２２    空間
２２４    水平部
２２５    鉛直部
２３０，２３０Ａ，２３０Ｂ  Ｘ字状連結機構
２３１，２３２  リンク部材
２３４，２３４Ａ，２３４Ｂ  軸支ピン
２３５，２３５Ａ，２３５Ｂ  摺動ピン
２５０    電磁シールド部材
２５１    トンネル状シールドカーテン
３１０    床面
３２０    導電性床板（導電性床材）
４００，５００，６００  押圧機構
４１０    押圧棒
４２０    付勢手段
４３０    ケース体
５１０，６１０  押圧部
５２０，６２０  連結部材
６３０    中空部材
【図１】
2013000420.tif 000003
【図２】
2013000420.tif 000004
【図３】
2013000420.tif 000005
【図４】
2013000420.tif 000006
【図５】
2013000420.tif 000007
【図６】
2013000420.tif 000008
【図７】
2013000420.tif 000009
【図８】
2013000420.tif 000010
【図９】
2013000420.tif 000011
【図１０】
2013000420.tif 000012
【図１１】
2013000420.tif 000013
【図１２】
2013000420.tif 000014
【図１３】
2013000420.tif 000015